(57)【特許請求の範囲】
【請求項１】
画素毎に１フレーム間の動きを検出する動き検出手段と、
前フィールド信号及び後フィールド信号のいずれかを用いて静画用補間画素を生成する静画用補間画素生成手段と、
現フィールド信号、前フィールド信号及び後フィールド信号のいずれかを用いて動画用補間画素を生成する動画用補間画素生成手段と、
前記動き検出手段の検出結果が静画判定側に移行するのに伴なって静画用補間画素の比率を多くし、前記動き検出手段の検出結果が動画判定側に移行するのに伴なって動画用補間画素の比率を多くして、前記静画用補間画素と動画用補間画素とを混合する補間画素混合生成手段と、
現フィールド信号と前フィールド信号との間、または、現フィールド信号と後フィールド信号との間で、それぞれの同じ画面位置にあって、画面全体を分割してなる小領域同士の相関を検出するフィールド間ゼロベクトル相関検出手段と、
現フィールド信号、前フィールド信号及び後フィールド信号のいずれかを用いて、画面単位でフィールド間の照明成分変動を検出する画面単位照明成分変動検出手段と、
現フィールド信号、前フィールド信号及び後フィールド信号のいずれかを用いて、画面全体を分割してなる小領域単位でフィールド間の照明成分変動を検出するブロック単位照明成分変動検出手段と、
前記フィールド間ゼロベクトル相関検出手段の検出結果が相関の低いことを示している場合、前記動き検出手段の検出結果を動画判定寄りに補正するもので、前記画面単位照明成分変動検出手段で画面単位照明成分変動が検出され、かつ、前記ブロック単位照明成分変動検出手段で照明成分変動が検出された小領域については、前記フィールド間ゼロベクトル相関検出手段による動き検出の補正を強めるように制御し、前記画面単位照明成分変動検出手段及び前記ブロック単位照明成分変動検出手段のいずれかで照明成分変動が検出されなかった小領域については、前記フィールド間ゼロベクトル相関検出手段による動き検出の補正を弱めるように制御する動き検出補正手段とを具備することを特徴とする順次走査変換装置。
【請求項２】
前フィールド信号と後フィールド信号との間で、それぞれの同じ画面位置にあって、画面全体を分割してなる小領域同士の相関を検出するフレーム間ゼロベクトル相関検出手段を具備し、
前記動き検出補正手段は、前記画面単位照明成分変動検出手段及び前記ブロック単位照明成分変動検出手段のいずれかで照明成分変動が検出されなかった小領域についても、前記フレーム間ゼロベクトル相関検出手段の検出結果が相関の低いことを示している小領域については、前記フィールド間ゼロベクトル相関検出手段による動き検出の補正を強めるように制御し、前記画面単位照明成分変動検出手段及び前記ブロック単位照明成分変動検出手段のいずれかで照明成分変動が検出されず、かつ、前記フレーム間ゼロベクトル相関検出手段の検出結果が相関の高いことを示している小領域については、前記フィールド間ゼロベクトル相関検出手段による動き検出の補正を弱めるように制御することを特徴とする請求項１記載の順次走査変換装置。
【請求項３】
前記動き検出補正手段は、前記フレーム間ゼロベクトル相関検出手段の検出結果が相関の低いことを示している小領域について、前記フィールド間ゼロベクトル相関検出手段による動き検出の補正を強めるように制御することを特徴とする請求項２記載の順次走査変換装置。
【請求項４】
画素毎に１フレーム間の動きを検出する動き検出工程と、
前フィールド信号及び後フィールド信号のいずれかを用いて静画用補間画素を生成する静画用補間画素生成工程と、
現フィールド信号、前フィールド信号及び後フィールド信号のいずれかを用いて動画用補間画素を生成する動画用補間画素生成工程と、
前記動き検出工程での検出結果が静画判定側に移行するのに伴なって静画用補間画素の比率を多くし、前記動き検出工程での検出結果が動画判定側に移行するのに伴なって動画用補間画素の比率を多くして、前記静画用補間画素と動画用補間画素とを混合する補間画素混合生成工程と、
現フィールド信号と前フィールド信号との間、または、現フィールド信号と後フィールド信号との間で、それぞれの同じ画面位置にあって、画面全体を分割してなる小領域同士の相関を検出するフィールド間ゼロベクトル相関検出工程と、
現フィールド信号、前フィールド信号及び後フィールド信号のいずれかを用いて、画面単位でフィールド間の照明成分変動を検出する画面単位照明成分変動検出工程と、
現フィールド信号、前フィールド信号及び後フィールド信号のいずれかを用いて、画面全体を分割してなる小領域単位でフィールド間の照明成分変動を検出するブロック単位照明成分変動検出工程と、
前記フィールド間ゼロベクトル相関検出工程での検出結果が相関の低いことを示している場合、前記動き検出工程での検出結果を動画判定寄りに補正するもので、前記画面単位照明成分変動検出工程で画面単位照明成分変動が検出され、かつ、前記ブロック単位照明成分変動検出工程で照明成分変動が検出された小領域については、前記フィールド間ゼロベクトル相関検出工程による動き検出の補正を強めるように制御し、前記画面単位照明成分変動検出工程及び前記ブロック単位照明成分変動検出工程のいずれかで照明成分変動が検出されなかった小領域については、前記フィールド間ゼロベクトル相関検出工程による動き検出の補正を弱めるように制御する動き検出補正工程とを有することを特徴とする順次走査変換方法。
【請求項５】
前フィールド信号と後フィールド信号との間で、それぞれの同じ画面位置にあって、画面全体を分割してなる小領域同士の相関を検出するフレーム間ゼロベクトル相関検出工程を有し、
前記動き検出補正工程は、前記画面単位照明成分変動検出工程及び前記ブロック単位照明成分変動検出工程のいずれかで照明成分変動が検出されなかった小領域についても、前記フレーム間ゼロベクトル相関検出工程での検出結果が相関の低いことを示している小領域については、前記フィールド間ゼロベクトル相関検出工程による動き検出の補正を強めるように制御し、前記画面単位照明成分変動検出工程及び前記ブロック単位照明成分変動検出工程のいずれかで照明成分変動が検出されず、かつ、前記フレーム間ゼロベクトル相関検出工程での検出結果が相関の高いことを示している小領域については、前記フィールド間ゼロベクトル相関検出工程による動き検出の補正を弱めるように制御することを特徴とする請求項４記載の順次走査変換方法。
【発明の詳細な説明】
【技術分野】
【０００１】
この発明は、動き適応型の順次走査変換装置及び順次走査変換方法に関する。
【背景技術】
【０００２】
周知のように、映像信号の信号処理において、飛び越し走査の形態の映像信号を順次走査の形態の映像信号に変換する順次走査変換が知られている。この順次走査変換においては、高画質画像に不可欠な物理要因である自然感を保存して、静止画像から動画像まで違和感なく高品質画像を再生することが求められている。
【０００３】
特許文献1には、順次走査変換において、カメラのストロボが一瞬たかれた場合に静止画判定をして、順次走査画像に白い横縞が入ることを解消するために、１フィールド遅延させた信号と入力信号とを比較して１フィールド内の動きを検出し、映像が静止画であるとの判定による画像の劣化を防止する映像信号処理装置が開示されている。
【特許文献１】特開２００１−１７５１５９号公報
【発明の開示】
【発明が解決しようとする課題】
【０００４】
上記の特許文献１に記載された映像信号処理装置では、フィールド毎に映像の動きを検出しているため、画面内の小さな領域に生じる映像の変化による動き検出の誤判定を防止することが難しかった。また、垂直方向の高周波成分を持つ静止画が動画と判定されることがあり、画像が劣化する場合があった。
【０００５】
そこで、この発明は上記事情を考慮してなされたもので、画面を小領域に分割し、各小領域単位で照明成分の変動を検出してより効果的に動き検出の補正を行なうことにより、画質の劣化を防止することが可能な順次走査変換装置及び順次走査変換方法を提供することを目的とする。
【課題を解決するための手段】
【０００６】
この発明に係る順次走査変換装置は、画素毎に１フレーム間の動きを検出する動き検出手段と、前フィールド信号及び後フィールド信号のいずれかを用いて静画用補間画素を生成する静画用補間画素生成手段と、現フィールド信号、前フィールド信号及び後フィールド信号のいずれかを用いて動画用補間画素を生成する動画用補間画素生成手段と、動き検出手段の検出結果が静画判定側に移行するのに伴なって静画用補間画素の比率を多くし、動き検出手段の検出結果が動画判定側に移行するのに伴なって動画用補間画素の比率を多くして、静画用補間画素と動画用補間画素とを混合する補間画素混合生成手段と、現フィールド信号と前フィールド信号との間、または、現フィールド信号と後フィールド信号との間で、それぞれの同じ画面位置にあって、画面全体を分割してなる小領域同士の相関を検出するフィールド間ゼロベクトル相関検出手段と、現フィールド信号、前フィールド信号及び後フィールド信号のいずれかを用いて、画面単位でフィールド間の照明成分変動を検出する画面単位照明成分変動検出手段と、現フィールド信号、前フィールド信号及び後フィールド信号のいずれかを用いて、画面全体を分割してなる小領域単位でフィールド間の照明成分変動を検出するブロック単位照明成分変動検出手段と、フィールド間ゼロベクトル相関検出手段の検出結果が相関の低いことを示している場合、動き検出手段の検出結果を動画判定寄りに補正するもので、画面単位照明成分変動検出手段で画面単位照明成分変動が検出され、かつ、ブロック単位照明成分変動検出手段で照明成分変動が検出された小領域については、フィールド間ゼロベクトル相関検出手段による動き検出の補正を強めるように制御し、画面単位照明成分変動検出手段及びブロック単位照明成分変動検出手段のいずれかで照明成分変動が検出されなかった小領域については、フィールド間ゼロベクトル相関検出手段による動き検出の補正を弱めるように制御する動き検出補正手段とを備えるようにしたものである。
【０００７】
また、この発明に係る順次走査変換方法は、画素毎に１フレーム間の動きを検出する動き検出工程と、前フィールド信号及び後フィールド信号のいずれかを用いて静画用補間画素を生成する静画用補間画素生成工程と、現フィールド信号、前フィールド信号及び後フィールド信号のいずれかを用いて動画用補間画素を生成する動画用補間画素生成工程と、動き検出工程での検出結果が静画判定側に移行するのに伴なって静画用補間画素の比率を多くし、動き検出工程での検出結果が動画判定側に移行するのに伴なって動画用補間画素の比率を多くして、静画用補間画素と動画用補間画素とを混合する補間画素混合生成工程と、現フィールド信号と前フィールド信号との間、または、現フィールド信号と後フィールド信号との間で、それぞれの同じ画面位置にあって、画面全体を分割してなる小領域同士の相関を検出するフィールド間ゼロベクトル相関検出工程と、現フィールド信号、前フィールド信号及び後フィールド信号のいずれかを用いて、画面単位でフィールド間の照明成分変動を検出する画面単位照明成分変動検出工程と、現フィールド信号、前フィールド信号及び後フィールド信号のいずれかを用いて、画面全体を分割してなる小領域単位でフィールド間の照明成分変動を検出するブロック単位照明成分変動検出工程と、フィールド間ゼロベクトル相関検出工程での検出結果が相関の低いことを示している場合、動き検出工程での検出結果を動画判定寄りに補正するもので、画面単位照明成分変動検出工程で画面単位照明成分変動が検出され、かつ、ブロック単位照明成分変動検出工程で照明成分変動が検出された小領域については、フィールド間ゼロベクトル相関検出工程による動き検出の補正を強めるように制御し、画面単位照明成分変動検出工程及びブロック単位照明成分変動検出工程のいずれかで照明成分変動が検出されなかった小領域については、フィールド間ゼロベクトル相関検出工程による動き検出の補正を弱めるように制御する動き検出補正工程とを有するようにしたものである。
【発明の効果】
【０００８】
上記した発明によれば、画面単位でフィールド間の照明成分変動を検出した結果と、画面全体を分割してなる小領域単位でフィールド間の照明成分変動を検出した結果とに基づいて、画面全体を分割してなる小領域毎に、画素毎に１フレーム間の動きを検出する動き検出手段の検出結果を補正するようにしたので、より効果的に動き検出の補正を行なうことができ、画質の劣化を防止することが可能となる。
【発明を実施するための最良の形態】
【０００９】
以下、この発明の実施の形態について図面を参照して詳細に説明する。この実施の形態で説明する順次走査変換装置１１は、図１に示すように、２つのフィールド遅延部１２，１３と、動き検出部１４と、フィールド間ゼロベクトル相関検出部１５と、画面単位照明成分変動検出部１６と、ブロック単位照明成分変動検出部１７と、動き検出補正部１８と、動画用補間画素生成部１９と、静画用補間画素生成部２０と、補間画素混合生成部２１と、時系列変換部２２とを備えている。
【００１０】
このうち、フィールド遅延部１２は、入力されるフィールド信号を１フィールド遅延させる部分である。この場合、入力される後フィールド信号Ｓ１を１フィールド遅延させ、現フィールド信号Ｓ２としてフィールド遅延部１３に出力している。この現フィールド信号Ｓ２は、上記したフィールド間ゼロベクトル相関検出部１５、画面単位照明成分変動検出部１６、ブロック単位照明成分変動検出部１７、動画用補間画素生成部１９及び時系列変換部２２にそれぞれ出力される。
【００１１】
なお、入力される後フィールド信号Ｓ１は、動き検出部１４、フィールド間ゼロベクトル相関検出部１５、画面単位照明成分変動検出部１６、ブロック単位照明成分変動検出部１７、動画用補間画素生成部１９及び静画用補間画素生成部２０にそれぞれ供給される。
【００１２】
また、フィールド遅延部１３は、入力されるフィールド信号を１フィールド遅延させる部分である。この場合、フィールド遅延部１２から出力される現フィールド信号Ｓ２を１フィールド遅延させ、前フィールド信号Ｓ３として動き検出部１４に出力する。この前フィールド信号Ｓ３は、フィールド間ゼロベクトル相関検出部１５、画面単位照明成分変動検出部１６、ブロック単位照明成分変動検出部１７、動画用補間画素生成部１９及び静画用補間画素生成部２０にそれぞれ出力される。
【００１３】
上記した動き検出部１４は、画素毎に１フレーム間の動きを検出する部分である。すなわち、この動き検出部１４は、後フィールド信号Ｓ１及び前フィールド信号Ｓ３に基づいて画素毎にフレーム間の差分を求め、その差分が大きいほど動画と判定し、小さいほど静画と判定するフレーム間動き検出信号ＭＤ１を生成し、動き検出補正部１８に出力する。
【００１４】
上記フィールド間ゼロベクトル相関検出部１５は、現フィールド信号Ｓ２と前フィールド信号Ｓ３との間、または、現フィールド信号Ｓ２と後フィールド信号Ｓ１との間において、それぞれの同じ画面位置にあって、画面全体を分割してなる小領域同士の相関を検出し、相関検出信号ＦＬＺＣＶを動き検出補正部１８に出力する。なお、フィールド間ゼロベクトル相関検出部１５においては、静画用補間画素生成に用いているフィールド信号Ｓ１またはＳ３と、現フィールド信号Ｓ２との間で相関を検出することが好ましい。この場合は、現フィールド信号Ｓ２と前フィールド信号Ｓ３との間で検出している。
【００１５】
図２は、フィールド間ゼロベクトル相関検出部１５の一例を示している。このフィールド間ゼロベクトル相関検出部１５は、第１水平垂直ローパスフィルタ１５ａと、第２水平垂直ローパスフィルタ１５ｂと、フィールド間差分絶対値算出部１５ｃと、小領域内積分部１５ｄとを備えている。
【００１６】
このうち、第１水平垂直ローパスフィルタ１５ａには、前フィールド信号Ｓ３が入力される。第１水平垂直ローパスフィルタ１５ａから出力された信号は、フィールド間差分絶対値算出部１５ｃに出力される。第２水平垂直ローパスフィルタ１５ｂには、現フィールド信号Ｓ２が入力される。第２水平垂直ローパスフィルタ１５ｂから出力された信号はフィールド間差分絶対値算出部１５ｃに出力される。
【００１７】
フィールド間差分絶対値算出部１５ｃは、第１水平垂直ローパスフィルタ１５ａ及び第２水平垂直ローパスフィルタ１５ｂから出力される信号に基づいて、画素単位毎に各フィールド間の信号差分の絶対値を算出する。フィールド間差分絶対値算出部１５ｃは、算出したフィールド間差分絶対値を小領域内積分部１５ｄに出力する。
【００１８】
小領域内積分部１５ｄは、入力されたフィールド間差分絶対値に基づいて、画面を分割した小領域毎にその小領域内のフィールド間差分絶対値を積分する部分である。小領域内積分部１５ｄは、その積分結果をフィールド間ゼロベクトル相関検出信号ＦＬＺＣＶとして動き検出補正部１８に出力する。
【００１９】
この動き検出補正部１８は、フィールド間ゼロベクトル相関検出部１５から出力された相関検出信号ＦＬＺＣＶが、相関が低いことを示していると判定した場合に、動き検出部１４から出力されるフレーム間動き検出信号ＭＤ１を動画判定寄りに補正した動き検出補正信号ＭＤ２を生成し、補間画素混合生成部２１に出力する。これにより、フレーム間の動き検出で静止と誤判定され、順次走査変換出力に誤補間ノイズが発生してしまうことを防止する。
【００２０】
また、動き検出補正部１８は、フィールド間ゼロベクトル相関検出部１５の出力が、相関が低いとの判定になるほど、動き検出部１４の出力を動画判定寄りの閾値でリミットをかける補正を行なうことも好ましい。この場合の具体的な例を図３に示している。図３に示すように、この場合の動き検出補正部１８は、閾値以下リミット部１８ａと、適応閾値生成部１８ｂとを備えている。
【００２１】
適応閾値生成部１８ｂには、フィールド間ゼロベクトル相関検出信号ＦＬＺＣＶが入力される。この信号ＦＬＺＣＶは、その値が大きいほど相関性が低く、その値が小さいほど相関性が高い。適応閾値生成部１８ｂは、フィールド間ゼロベクトル相関検出信号ＦＬＺＣＶが大きいほど大きい閾値を閾値以下リミット部１８ａに出力する。
【００２２】
閾値以下リミット部１８ａには、動き検出部１４から出力されるフレーム間動き検出信号ＭＤ１が入力される。このフレーム間動き検出信号ＭＤ１は、その値が大きいほど動いている度合い（動画寄りの度合い）が高く、その値が小さいほど動いていない度合い（静画寄りの度合い）が高い。
【００２３】
閾値以下リミット部１８ａは、適応閾値生成部１８ｂが生成した閾値に基づいて、動き検出部１４からのフレーム間動き検出信号ＭＤ１にリミットをかける補正を行ない、その補正を行なった結果を動き検出補正部１８の出力である動き検出補正信号ＭＤ２として補間画素混合生成部２１に出力する。
【００２４】
また、動き検出補正部１８は、フィールド間ゼロベクトル相関検出部１５から出力された相関検出信号ＦＬＺＣＶが、相関が低いことを示していると判定した場合に、動き検出部１４から出力されるフレーム間動き検出信号ＭＤ１に対して、動画判定寄りになるオフセットを加える補正を行なうことも好ましい。この場合の具体的な例を図４に示す。図４に示すように、この場合の動き検出補正部１８は、オフセット加算部１８ｃと、適応オフセット生成部１８ｄとを備えている。
【００２５】
適応オフセット生成部１８ｄには、フィールド間ゼロベクトル相関検出信号ＦＬＺＣＶが入力される。この信号ＦＬＺＣＶは、その値が大きいほど相関性が低く、その値が小さいほど相関性が高い。適応オフセット生成部１８ｄでは、フィールド間ゼロベクトル相関検出信号ＦＬＺＣＶが大きいほど大きいオフセット値をオフセット加算部１８ｃに出力する。
【００２６】
オフセット加算部１８ｃには、動き検出部１４から出力されるフレーム間動き検出信号ＭＤ１が入力される。このフレーム間動き検出信号ＭＤ１は、その値が大きいほど動いている度合い（動画寄りの度合い）が高く、その値が小さいほど動いていない度合い（静画寄りの度合い）が高い。
【００２７】
オフセット加算部１８ｃは、適応オフセット生成部１８ｄが生成したオフセット値に基づいて、動き検出部１４からのフレーム間動き検出信号ＭＤ１にオフセットを加える補正を行ない、その補正を行なった結果を動き検出補正部１８の出力である動き検出補正信号ＭＤ２として補間画素混合生成部２１に出力する。
【００２８】
ここで、再度、図１に示すように、動き検出補正部１８は、画面単位照明成分変動検出部１６から出力される検出信号ＦＣＤと、ブロック単位照明成分変動検出部１７から出力される検出信号ＢＬＣＤとによって制御される。
【００２９】
このうち、画面単位照明成分変動検出部１６は、後フィールド信号Ｓ１、現フィールド信号Ｓ２及び前フィールド信号Ｓ３とからフィールド間の画面単位照明成分変動を検出する。すなわち、図５に示すように、画面単位照明成分変動検出部１６は、第１画面内平均輝度レベル算出部１６ａと、第２画面内平均輝度レベル算出部１６ｂと、差分回路１６ｃと、絶対値回路１６ｄと、比較回路１６ｅとを有している。
【００３０】
第１画面内平均輝度レベル算出部１６ａは、現フィールド信号Ｓ２の平均輝度レベル（ＡＰＬ：average picture level）を検出する。第２画面内平均輝度レベル算出部１６ｂは、前フィールド信号Ｓ３の平均輝度レベルを検出する。
【００３１】
第１画面内平均輝度レベル算出部１６ａの出力と、第２画面内平均輝度レベル算出部１６ｂの出力とは、差分回路１６ｃに入力される。差分回路１６ｃでは、入力された平均輝度レベルの差分を算出する。差分回路１６ｃの出力は、絶対値回路１６ｄに入力され、絶対値回路１６ｄで入力された差分値から差分絶対値Ａを算出する。
【００３２】
絶対値回路１６ｄから出力された差分絶対値Ａは、比較回路１６ｅに入力され、比較回路１６ｅで判定閾値Ｂと差分絶対値Ａとが比較される。差分絶対値Ａが判定閾値Ｂよりも大きい場合には、画面単位照明成分変動検出部１６は、画面単位照明成分変動が検出された旨の検出信号ＦＣＤを出力する。差分絶対値Ａが判定閾値Ｂ以下の場合には、画面単位照明成分変動検出部１６は、画面単位照明成分変動が検出されなかった旨の検出信号ＦＣＤを出力する。
【００３３】
また、上記ブロック単位照明成分変動検出部１７は、画面を小領域でなる複数のブロック（例えば、水平方向に１６画素、垂直方向に３画素程度）に分割し、各ブロック単位でフィールド間の照明成分変動を検出して検出信号ＢＬＣＤを出力するものである。このブロック単位照明成分変動検出部１７では、照明成分変動の検出範囲がブロック単位になるだけで、照明成分変動の検出手法は、図５に示したものと同様な手法が適用される。
【００３４】
画面単位照明成分変動検出部１６から出力される検出信号ＦＣＤと、ブロック単位照明成分変動検出部１７から出力される検出信号ＢＬＣＤとは、動き検出補正部１８を構成する適応閾値生成部１８ｂまたは適応オフセット生成部１８ｄに供給される。
【００３５】
図６は、画面単位照明成分変動検出部１６及びブロック単位照明成分変動検出部１７からそれぞれ出力される検出信号ＦＣＤ及びＢＬＣＤに基づいた動き検出補正部１８の処理動作をまとめたフローチャートを示している。すなわち、処理が開始（ステップＳ６ａ）されると、動き検出補正部１８は、ステップＳ６ｂで、画面単位照明成分変動検出部１６から出力される検出信号ＦＣＤが、画面単位照明成分変動が検出された旨を示しているか否かを判別する。
【００３６】
そして、画面単位照明成分変動検出部１６から出力される検出信号ＦＣＤが、画面単位照明成分変動が検出された旨を示していると判断された場合（ＹＥＳ）、動き検出補正部１８は、ステップＳ６ｃで、ブロック単位照明成分変動検出部１７から出力される各ブロックの検出信号ＢＬＣＤが、照明成分変動が検出された旨を示しているか否かを判別する。
【００３７】
そして、ブロック単位照明成分変動検出部１７から出力される検出信号ＢＬＣＤが、照明成分変動が検出された旨を示していると判断された場合（ＹＥＳ）、動き検出補正部１８は、ステップＳ６ｄで、照明成分変動が検出されたブロックで構成される小領域内について、フィールド間ゼロベクトル相関検出部１５から出力されるフィールド間ゼロベクトル相関検出信号ＦＬＺＣＶによる動き検出の補正を強めるように制御し、処理を終了（ステップＳ６ｆ）する。
【００３８】
すなわち、画面単位照明成分変動検出部１６及びブロック単位照明成分変動検出部１７で共に照明成分変動が検出された場合、動き検出補正部１４は、照明成分変動が検出されたブロックで構成される小領域内について、動き検出部１４から供給されるフレーム間動き検出信号ＭＤ１を動画寄りに補正する。
【００３９】
また、上記ステップＳ６ｂで画面単位照明成分変動検出部１６から出力される検出信号ＦＣＤが画面単位照明成分変動の検出された旨を示していないと判断された場合（ＮＯ）、または、上記ステップＳ６ｃでブロック単位照明成分変動検出部１７から出力される検出信号ＢＬＣＤが照明成分変動の検出された旨を示していないと判断された場合（ＮＯ）、動き検出補正部１８は、ステップＳ６ｅで、照明成分変動が検出されなかったブロックで構成される小領域内について、フィールド間ゼロベクトル相関検出部１５から出力されるフィールド間ゼロベクトル相関検出信号ＦＬＺＣＶによる動き検出の補正を弱めるように制御し、処理を終了（ステップＳ６ｆ）する。
【００４０】
すなわち、画面単位照明成分変動検出部１６及びブロック単位照明成分変動検出部１７の少なくとも一方により照明成分変動が検出されなかった場合、動き検出補正部１４は、照明成分変動が検出されなかったブロックで構成される小領域内について、動き検出部１４から供給されるフレーム間動き検出信号ＭＤ１を静画寄りに補正する。
【００４１】
次に、上記のように、画面単位照明成分変動検出部１６及びブロック単位照明成分変動検出部１７から出力される各検出信号ＦＣＤ及びＢＬＣＤに基づいて、動き検出部１４から供給されるフレーム間動き検出信号ＭＤ１に、小領域単位で補正を施すことによる効果について説明する。
【００４２】
すなわち、上記動き検出部１４によるフレーム間の動き検出において、静止と誤判定すると、順次走査変換出力に誤補間ノイズが発生する。これを防ぐため、動き検出補正部１８により、フィールド間ゼロベクトル相関検出部１５を利用した動き検出補正を行なっている。
【００４３】
ただし、垂直方向高周波数成分を持つ静止画では、飛び越し走査を行なうことにより高周波成分が折り返り、トップフィールドとボトムフィールドとのフィールド間で差が生まれ、これにより、フィールド間ゼロベクトル相関検出信号ＦＬＺＣＶが低くなるため、動き検出結果ＭＤ１を動画判定寄りに補正してしまい、出力画像へのチラつき等の画質劣化が懸念される。
【００４４】
このため、誤補間ノイズが現れ易い、カメラのフラッシュ等により画面全体で瞬間的に明るくなりフィールド毎に明るさが大きく変化するような動画に対し、画面単位照明成分変動ＦＣＤを検出する。そして、図６に示したフローチャートに基づいて、変動ＦＣＤが大きい場合はフラッシュが含まれるシーンと判断して、画面全体でフレーム間の動き検出結果ＭＤ１の補正を強め、変動ＦＣＤが大きいと判定されなかった場合は、画面全体でフレーム間の動き検出結果ＭＤ１の補正を弱めるようにしている。このようにすることによって、フラッシュが含まれるシーンが適切に判断されるため、動き検出の誤判定を効果的に補正し、垂直方向高周波数成分を持つ静止画シーンへの影響を無くすことができる。
【００４５】
ところで、図７に示すように、前フィールドをｎフィールド目、現フィールドを（ｎ＋１）フィールド目、後フィールドを（ｎ＋２）フィールド目とし、ｎフィールド目と(ｎ＋２)フィールド目ではフラッシュが光り全体が明るくなり、(ｎ＋１)フィールド目ではフラッシュが消えて全体が暗くなっている場合を考える。
【００４６】
このような場合、（ｎ＋１）フィールド目順次走査変換用の、ｎフィールド目と（ｎ＋２）フィールド目との間におけるフレーム間動き検出結果ＭＤ１のほとんどが静止判定となってしまい、全体に明るいｎフィールド目の画像が補間ライン信号として挿入されるため、横縞状の画質劣化が生じる。
【００４７】
このような動画に対しては、画面単位照明成分変動ＦＣＤを検出し、画面全体でフレーム間動き検出の誤判定に対し補正を行なうことができる。ただし、図７に示した動画の例のように、画面右上にテロップ（ＮＥＷＳ）等が含まれている場合、フラッシュによる変動に対してテロップは静止したままであるが、画面全体で動き検出信号ＭＤ１の補正を行なうため、テロップに垂直方向高周波成分が含まれていると、前述の理由から動画判定よりに補正してしまい、出力画像へのチラつき等の画質劣化が懸念される。そこで、補正が必要な範囲を判定してより効果的に動き検出補正を行なう必要がある。
【００４８】
すなわち、画面単位照明成分変動ＦＣＤが大きく、かつ、ブロック単位照明成分変動ＢＬＣＤも大きい場合は、変動を検出した小領域の範囲内でフィールド間ゼロベクトル相関検出部１５による動き検出の補正を強め、それ以外の領域では動き検出の補正を弱めるように制御する。
【００４９】
このような制御手法により、フラッシュの点滅等で現れる、画面内の広範囲に渡るフレーム間動き検出の誤判定を防止し、かつ、同画面にテロップ等として存在する静止部分に垂直方向高周波成分が含まれていても、動き検出補正が抑えられチラつき等の画質劣化がなく、効果的に動き検出の補正をすることができる。
【００５０】
なお、上記動画用補間画素生成部１９は、現フィールド信号Ｓ２、前フィールド信号Ｓ３及び後フィールド信号Ｓ１のいずれかから動画用補間画素を生成する部分である。この実施の形態の場合には、動画用補間画素生成部１９は、現フィールド信号Ｓ２からフィールド内補間により動画用補間画素を生成する。動画用補間画素生成部１９は、生成した動画用補間画素を補間画素混合生成部２１に出力する。なお、動画用補間画素生成部１９は、動き補償により前後のフィールドも用いて動画用補間画素を生成してもよい。
【００５１】
また、上記静画用補間画素生成部２０は、前フィールド信号または後フィールド信号から静画用補間画素を生成する部分である。この実施の形態の場合には、静画用補間画素生成部２０は、補間画素と空間的に同じ位置の前フィールド信号Ｓ３の画素を静画用補間画素として補間画素混合生成部２１に出力する。なお、静画用補間画素生成部２０は、静画用補間画素として、後フィールド信号Ｓ１の画素を用いてもよく、前フィールド信号Ｓ３と後フィールド信号Ｓ１との画素の平均を用いてもよい。
【００５２】
上記補間画素混合生成部２１は、動き検出部１４の出力が静止判定側に移行するのに伴なって静画用補間画素の比率を多くし、動き検出部１４の出力が動画判定側に移行するのに伴なって動画用補間画素の比率を多くして、静画用補間画素と動画用補間画素とを混合する部分である。
【００５３】
動き検出補正部１８の出力ＭＤ２の値が大きいほど動画判定、小さいほど静画判定とすると、補間画素混合生成部２１では、下記のような式で動画用補間画素と静画用補間画素を混合する。
【００５４】
補間ライン信号＝ＭＤ２×動画用補間画素＋（１−ＭＤ２）×静画用補間画素
ここで、ＭＤ２は０≦ＭＤ２≦１とする。
【００５５】
また、上記時系列変換部２２は、補間画素混合生成部２１から出力される補間ライン信号と、現フィールド信号Ｓ２そのものである直接ライン信号とに基づいて、順次走査変換信号を生成し出力する部分である。
【００５６】
図８は、上記画面単位照明成分変動検出部１６の他の例を示している。すなわち、この画面単位照明成分変動検出部１６は、画面単位フレーム間輝度差分絶対値和算出部１６ｆと、２つのＶラッチ１６ｇ，１６ｈと、差分回路１６ｉと、絶対値回路１６ｊと、比較回路１６ｋとを有している。
【００５７】
画面単位フレーム間輝度差分絶対値和算出部１６ｆには、後フィールド信号Ｓ１と前フィールド信号Ｓ３とが入力されている。画面単位フレーム間輝度差分絶対値和算出部１６ｆでは、後フィールド信号Ｓ１及び前フィールド信号Ｓ３間の差分絶対値和（ＳＡＤ：sum of absolute difference）を検出する。
【００５８】
画面単位フレーム間輝度差分絶対値和算出部１６ｆの出力は、Ｖラッチ１６ｇに入力される。Ｖラッチ１６ｇでは１垂直期間分信号を遅延させ、入力された差分絶対値和を１垂直期間前差分絶対値和として、Ｖラッチ１６ｈと差分回路１６ｉとに出力する。Ｖラッチ１６ｈは、この１垂直期間前差分絶対値和をさらに１垂直期間遅延させて、２垂直期間前差分絶対値和として差分回路１６ｉに出力する。
【００５９】
差分回路１６ｉでは、１垂直期間遅延差分絶対値和と２垂直期間差分絶対値和との差分を算出している。差分回路１６ｉから出力された差分値は、絶対値回路１６ｊに入力される。絶対値回路１６ｊでは、入力された差分値から差分絶対値Ａを算出する。
【００６０】
絶対値回路１６ｊから出力された差分絶対値Ａは、比較回路１６ｋに入力される。比較回路１６ｋでは、差分絶対値Ａと判定閾値Ｂとを比較する。すなわち、差分絶対値Ａが判定閾値Ｂよりも大きい場合には、画面単位照明成分変動検出部１６は、画面単位照明成分変動が検出された旨の検出信号ＦＣＤを出力する。差分絶対値Ａが判定閾値Ｂ以下の場合には、画面単位照明成分変動検出部１６は、画面単位照明成分変動が検出されなかった旨の検出信号ＦＣＤを出力する。
【００６１】
図９は、上記画面単位照明成分変動検出部１６のさらに他の例を示している。この画面単位照明成分変動検出部１６は、第１画面内輝度ヒストグラム検出部１６ｌと、第１高輝度成分画素カウント部１６ｍと、第２画面内輝度ヒストグラム検出部１６ｎと、第２高輝度成分画素カウント部１６ｏと、差分回路１６ｐと、絶対値回路１６ｑと、比較回路１６ｒとを有している。
【００６２】
第１画面内輝度ヒストグラム検出部１６ｌには、現フィールド信号Ｓ２が入力される。第１画面内輝度ヒストグラム検出部１６ｌでは、現フィールド信号Ｓ２の画面内の輝度ヒストグラムを検出する。第１画面内輝度ヒストグラム検出部１６ｌから出力された画面内輝度ヒストグラムは、第１高輝度成分画素カウント部１６ｍに入力される。
【００６３】
第１高輝度成分画素カウント部１６ｍでは、入力された画面内輝度ヒストグラムから、高輝度判定閾値よりも高い輝度の画素数をカウントして、その結果を差分回路１６ｐに出力する。
【００６４】
第２画面内輝度ヒストグラム検出部１６ｎには、前フィールド信号Ｓ３が入力される。第２画面内輝度ヒストグラム検出部１６ｎでは、前フィールド信号Ｓ３の画面内の輝度ヒストグラムを検出する。第２画面内輝度ヒストグラム検出部１６ｎから出力された画面内輝度ヒストグラムは、第２高輝度成分画素カウント部１６ｏに入力される。
【００６５】
第２高輝度成分画素カウント部１６ｏでは、入力された画面内輝度ヒストグラムから、高輝度判定閾値よりも高い輝度の画素数をカウントして、その結果を差分回路１６ｐに出力する。
【００６６】
差分回路１６ｐでは、現フィールド信号Ｓ２の高輝度成分画素数と、前フィールド信号Ｓ３の高輝度成分画素数との差分を算出する。差分回路１６ｐから出力された差分値は、絶対値回路１６ｑに入力される。絶対値回路１６ｑでは、入力された差分値の絶対値を算出して、差分絶対値Ａとして比較回路１６ｒに出力する。
【００６７】
比較回路１６ｒでは、絶対値回路１６ｑから入力された差分絶対値Ａと判定閾値Ｂとを比較する。すなわち、差分絶対値Ａが判定閾値Ｂよりも大きい場合には、画面単位照明成分変動検出部１６は、画面単位照明成分変動が検出された旨を示す検出信号ＦＣＤを出力する。差分絶対値Ａが判定閾値Ｂ以下の場合には、画面単位照明成分変動検出部１６は、画面単位照明成分変動が検出されなかった旨を示す検出信号出力ＦＣＤを出力する。
【００６８】
図１０は、上記した実施の形態の変形例を示している。図１０において、図１と同一部分には同一符号を付して示し、ここでは、異なる部分についてのみ説明する。すなわち、後フィールド信号Ｓ１及び前フィールド信号Ｓ３は、フレーム間ゼロベクトル相関検出部２３に供給されている。
【００６９】
このフレーム間ゼロベクトル相関検出部２３は、前フィールド信号Ｓ３と後フィールド信号Ｓ１との間において、それぞれの同じ画面位置にあって、画面全体を分割してなる小領域同士の相関を検出し、フレーム間ゼロベクトル相関検出信号ＦＭＺＣＶを生成して動き検出補正部１８に出力している。
【００７０】
図１１は、フレーム間ゼロベクトル相関検出部２３の一例を示している。このフレーム間ゼロベクトル相関検出部２３は、第１水平垂直ローパスフィルタ２３ａと、第２水平垂直ローパスフィルタ２３ｂと、フレーム間差分絶対値算出部２３ｃと、小領域内積分部２３ｄとを備えている。
【００７１】
このうち、第１水平垂直ローパスフィルタ２３ａには、前フィールド信号Ｓ３が入力される。第１水平垂直ローパスフィルタ２３ａから出力された信号は、フレーム間差分絶対値算出部２３ｃに出力される。第２水平垂直ローパスフィルタ２３ｂには、後フィールド信号Ｓ１が入力される。第２水平垂直ローパスフィルタ２３ｂから出力された信号はフレーム間差分絶対値算出部２３ｃに出力される。
【００７２】
フレーム間差分絶対値算出部２３ｃは、第１水平垂直ローパスフィルタ２３ａ及び第２水平垂直ローパスフィルタ２３ｂから出力される信号に基づいて、画素単位毎に各フレーム間の信号差分の絶対値を算出する。フレーム間差分絶対値算出部２３ｃは、算出したフレーム間差分絶対値を小領域内積分部２３ｄに出力する。
【００７３】
小領域内積分部２３ｄは、入力されたフレーム間差分絶対値に基づいて、画面を分割した小領域毎にその小領域内のフレーム間差分絶対値を積分する部分である。小領域内積分部２３ｄは、その積分結果をフレーム間ゼロベクトル相関検出信号ＦＭＺＣＶとして、動き検出補正部１８を構成する適応閾値生成部１８ｂまたは適応オフセット生成部１８ｄに出力する。
【００７４】
図１２は、上記画面単位照明成分変動検出部１６、ブロック単位照明成分変動検出部１７及びフレーム間ゼロベクトル相関検出部２３からそれぞれ出力される検出信号ＦＣＤ，ＢＬＣＤ及びＦＭＺＣＶに基づいた動き検出補正部１８の処理動作をまとめたフローチャートを示している。
【００７５】
すなわち、処理が開始（ステップＳ１２ａ）されると、動き検出補正部１８は、ステップＳ１２ｂで、画面単位照明成分変動検出部１６から出力される検出信号ＦＣＤが、画面単位照明成分変動が検出された旨を示しているか否かを判別する。
【００７６】
そして、画面単位照明成分変動検出部１６から出力される検出信号ＦＣＤが、画面単位照明成分変動が検出された旨を示していると判断された場合（ＹＥＳ）、動き検出補正部１８は、ステップＳ１２ｃで、ブロック単位照明成分変動検出部１７から出力される各ブロックの検出信号ＢＬＣＤが、照明成分変動が検出された旨を示しているか否かを判別する。
【００７７】
そして、ブロック単位照明成分変動検出部１７から出力される検出信号ＢＬＣＤが、照明成分変動が検出された旨を示していると判断された場合（ＹＥＳ）、動き検出補正部１８は、ステップＳ１２ｄで、照明成分変動が検出されたブロックで構成される小領域内について、フィールド間ゼロベクトル相関検出部１５から出力されるフィールド間ゼロベクトル相関検出信号ＦＬＺＣＶによる動き検出の補正を強めるように制御し、処理を終了（ステップＳ１２ｇ）する。
【００７８】
すなわち、画面単位照明成分変動検出部１６及びブロック単位照明成分変動検出部１７で共に照明成分変動が検出された場合、動き検出補正部１４は、照明成分変動が検出されたブロックで構成される小領域内について、動き検出部１４から供給されるフレーム間動き検出信号ＭＤ１を動画寄りに補正する。
【００７９】
また、上記ステップＳ１２ｂで画面単位照明成分変動検出部１６から出力される検出信号ＦＣＤが画面単位照明成分変動の検出された旨を示していないと判断された場合（ＮＯ）、または、上記ステップＳ１２ｃでブロック単位照明成分変動検出部１７から出力される検出信号ＢＬＣＤが照明成分変動の検出された旨を示していないと判断された場合（ＮＯ）、動き検出補正部１８は、ステップＳ１２ｅで、フレーム間ゼロベクトル相関検出部２３から出力されるフレーム間ゼロベクトル相関検出信号ＦＭＺＣＶが、相関の低いことを示しているか否かを判別する。
【００８０】
そして、フレーム間ゼロベクトル相関検出信号ＦＭＺＣＶが相関の低いことを示していると判断された場合（ＹＥＳ）、動き検出補正部１８は、ステップＳ１２ｄで、相関の低いことが検出された小領域内について、フィールド間ゼロベクトル相関検出部１５から出力されるフィールド間ゼロベクトル相関検出信号ＦＬＺＣＶによる動き検出の補正を強めるように制御し、処理を終了（ステップＳ１２ｇ）する。
【００８１】
すなわち、画面単位照明成分変動検出部１６及びブロック単位照明成分変動検出部１７で共に照明成分変動が検出されない場合でも、フレーム間ゼロベクトル相関検出部２３から出力されるフレーム間ゼロベクトル相関検出信号ＦＭＺＣＶが相関の低いことを示している場合、動き検出補正部１４は、相関の低いことが検出された小領域内について、動き検出部１４から供給されるフレーム間動き検出信号ＭＤ１を動画寄りに補正する。
【００８２】
また、上記ステップＳ１２ｅでフレーム間ゼロベクトル相関検出信号ＦＭＺＣＶが相関の高いことを示していると判断された場合（ＮＯ）、動き検出補正部１８は、ステップＳ１２ｆで、相関の高いことが検出された小領域内について、フィールド間ゼロベクトル相関検出部１５から出力されるフィールド間ゼロベクトル相関検出信号ＦＬＺＣＶによる動き検出の補正を弱めるように制御し、処理を終了（ステップＳ１２ｇ）する。
【００８３】
すなわち、フレーム間ゼロベクトル相関検出部２３から出力されるフレーム間ゼロベクトル相関検出信号ＦＭＺＣＶが相関の高いことを示している場合、動き検出補正部１８は、相関の高いことが検出された小領域内について、動き検出部１４から供給されるフレーム間動き検出信号ＭＤ１を静画寄りに補正する。
【００８４】
図１０に示した構成によれば、画面単位及びブロック単位での照明成分変動が検出されない場合でも、フレーム間ゼロベクトル相関検出信号ＦＭＺＣＶが相関の低いことを示している場合には、相関の低いことが検出された小領域内について、動き検出の補正を強めるようにしている。
【００８５】
このことにより、図１に示した順次走査変換装置１１の効果に加えて、フラッシュ等による画面全体での照明成分変動がない映像であっても、垂直方向高周波成分等が含まれる領域をより正確に捉えて、誤判定を防止する動き検出補正の制御をすることができる。
【００８６】
図１３は、上記画面単位照明成分変動検出部１６、ブロック単位照明成分変動検出部１７及びフレーム間ゼロベクトル相関検出部２３からそれぞれ出力される検出信号ＦＣＤ，ＢＬＣＤ及びＦＭＺＣＶに基づいた動き検出補正部１８の他の処理動作をまとめたフローチャートを示している。
【００８７】
すなわち、処理が開始（ステップＳ１３ａ）されると、動き検出補正部１８は、ステップＳ１３ｂで、フレーム間ゼロベクトル相関検出部２３から出力されるフレーム間ゼロベクトル相関検出信号ＦＭＺＣＶが、相関の低いことを示しているか否かを判別する。
【００８８】
そして、フレーム間ゼロベクトル相関検出信号ＦＭＺＣＶが相関の低いことを示していると判断された場合（ＹＥＳ）、動き検出補正部１８は、ステップＳ１３ｃで、相関の低いことが検出された小領域内について、フィールド間ゼロベクトル相関検出部１５から出力されるフィールド間ゼロベクトル相関検出信号ＦＬＺＣＶによる動き検出の補正を強めるように制御し、処理を終了（ステップＳ１３ｇ）する。
【００８９】
すなわち、画面単位照明成分変動検出部１６及びブロック単位照明成分変動検出部１７の検出結果に無関係に、フレーム間ゼロベクトル相関検出部２３から出力されるフレーム間ゼロベクトル相関検出信号ＦＭＺＣＶが相関の低いことを示している場合、動き検出補正部１４は、相関の低いことが検出された小領域内について、動き検出部１４から供給されるフレーム間動き検出信号ＭＤ１を動画寄りに補正する。
【００９０】
また、上記ステップＳ１３ｂでフレーム間ゼロベクトル相関検出信号ＦＭＺＣＶが相関の高いことを示していると判断された場合（ＮＯ）、動き検出補正部１８は、ステップＳ１３ｄで、画面単位照明成分変動検出部１６から出力される検出信号ＦＣＤが、画面単位照明成分変動が検出された旨を示しているか否かを判別する。
【００９１】
そして、画面単位照明成分変動検出部１６から出力される検出信号ＦＣＤが、画面単位照明成分変動が検出された旨を示していると判断された場合（ＹＥＳ）、動き検出補正部１８は、ステップＳ１３ｅで、ブロック単位照明成分変動検出部１７から出力される各ブロックの検出信号ＢＬＣＤが、照明成分変動が検出された旨を示しているか否かを判別する。
【００９２】
そして、ブロック単位照明成分変動検出部１７から出力される検出信号ＢＬＣＤが、照明成分変動が検出された旨を示していると判断された場合（ＹＥＳ）、動き検出補正部１８は、ステップＳ１３ｃで、照明成分変動が検出されたブロックで構成される小領域内について、フィールド間ゼロベクトル相関検出部１５から出力されるフィールド間ゼロベクトル相関検出信号ＦＬＺＣＶによる動き検出の補正を強めるように制御し、処理を終了（ステップＳ１３ｇ）する。
【００９３】
すなわち、画面単位照明成分変動検出部１６及びブロック単位照明成分変動検出部１７で共に照明成分変動が検出された場合、動き検出補正部１４は、照明成分変動が検出されたブロックで構成される小領域内について、動き検出部１４から供給されるフレーム間動き検出信号ＭＤ１を動画寄りに補正する。
【００９４】
また、上記ステップＳ１３ｄで画面単位照明成分変動検出部１６から出力される検出信号ＦＣＤが画面単位照明成分変動の検出された旨を示していないと判断された場合（ＮＯ）、または、上記ステップＳ１３ｅでブロック単位照明成分変動検出部１７から出力される検出信号ＢＬＣＤが照明成分変動の検出された旨を示していないと判断された場合（ＮＯ）、動き検出補正部１８は、ステップＳ１３ｆで、照明成分変動が検出されなかったブロックで構成される小領域内について、フィールド間ゼロベクトル相関検出部１５から出力されるフィールド間ゼロベクトル相関検出信号ＦＬＺＣＶによる動き検出の補正を弱めるように制御し、処理を終了（ステップＳ１３ｇ）する。
【００９５】
すなわち、画面単位照明成分変動検出部１６及びブロック単位照明成分変動検出部１７の少なくとも一方により照明成分変動が検出されなかった場合、動き検出補正部１４は、照明成分変動が検出されなかったブロックで構成される小領域内について、動き検出部１４から供給されるフレーム間動き検出信号ＭＤ１を静画寄りに補正する。
【００９６】
図１３における処理動作は、図１２におけるステップＳ１２ｂ，Ｓ１２ｃの処理と、ステップＳ１２ｅの処理との順序を入れ替えたもので、このような処理動作によっても、同様な効果を得ることができる。
【００９７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００９８】
【図１】この発明の実施の形態を示すもので、順次走査変換装置を説明するために示すブロック構成図。
【図２】同実施の形態における順次走査変換装置のフィールド間ゼロベクトル相関検出部の一例を説明するために示すブロック構成図。
【図３】同実施の形態における順次走査変換装置の動き検出補正部の一例を説明するために示すブロック構成図。
【図４】同実施の形態における順次走査変換装置の動き検出補正部の他の例を説明するために示すブロック構成図。
【図５】同実施の形態における順次走査変換装置の画面単位照明成分変動検出部の一例を説明するために示すブロック構成図。
【図６】同実施の形態における順次走査変換装置の動き検出補正部が行なう処理動作を説明するために示すフローチャート。
【図７】同実施の形態における順次走査変換装置が効果を奏する画面の一例を説明するために示す図。
【図８】同実施の形態における順次走査変換装置の画面単位照明成分変動検出部の他の例を説明するために示すブロック構成図。
【図９】同実施の形態における順次走査変換装置の画面単位照明成分変動検出部のさらに他の例を説明するために示すブロック構成図。
【図１０】同実施の形態における順次走査変換装置の変形例を説明するために示すブロック構成図。
【図１１】同変形例における順次走査変換装置のフレーム間ゼロベクトル相関検出部の一例を説明するために示すブロック構成図。
【図１２】同変形例における順次走査変換装置の動き検出補正部が行なう処理動作の一例を説明するために示すフローチャート。
【図１３】同変形例における順次走査変換装置の動き検出補正部が行なう処理動作の他の例を説明するために示すフローチャート。
【符号の説明】
【００９９】
１１…順次走査変換装置、１２…フィールド遅延部、１３…フィールド遅延部、１４…動き検出部、１５…フィールド間ゼロベクトル相関検出部、１５ａ…第１水平垂直ローパスフィルタ、１５ｂ…第２水平垂直ローパスフィルタ、１５ｃ…フィールド間差分絶対値算出部、１５ｄ…小領域内積分部、１６…画面単位照明成分変動検出部、１６ａ…第１画面内平均輝度レベル算出部、１６ｂ…第２画面内平均輝度レベル算出部、１６ｃ…差分回路、１６ｄ…絶対値回路、１６ｅ…比較回路、１６ｆ…画面単位フレーム間輝度差分絶対値和算出部、１６ｇ…Ｖラッチ、１６ｈ…Ｖラッチ、１６ｉ…差分回路、１６ｊ…絶対値回路、１６ｋ…比較回路、１６ｌ…第１画面内輝度ヒストグラム検出部、１６ｍ…第１高輝度成分画素カウント部、１６ｎ…第２画面内輝度ヒストグラム検出部、１６ｏ…第２高輝度成分画素カウント部、１６ｐ…差分回路、１６ｑ…絶対値回路、１６ｒ…比較回路、１７…ブロック単位照明成分変動検出部、１８…動き検出補正部、１８ａ…閾値以下リミット部、１８ｂ…適応閾値生成部、１８ｃ…オフセット加算部、１８ｄ…適応オフセット生成部、１９…動画用補間画素生成部、２０…静画用補間画素生成部、２１…補間画素混合生成部、２２…時系列変換部、２３…フレーム間ゼロベクトル相関検出部、２３ａ…第１水平垂直ローパスフィルタ、２３ｂ…第２水平垂直ローパスフィルタ、２３ｃ…フレーム間差分絶対値算出部、２３ｄ…小領域内積分部。
【図１】
0004279332.tif 000002
【図２】
0004279332.tif 000003
【図３】
0004279332.tif 000004
【図４】
0004279332.tif 000005
【図５】
0004279332.tif 000006
【図６】
0004279332.tif 000007
【図７】
0004279332.tif 000008
【図８】
0004279332.tif 000009
【図９】
0004279332.tif 000010
【図１０】
0004279332.tif 000011
【図１１】
0004279332.tif 000012
【図１２】
0004279332.tif 000013
【図１３】
0004279332.tif 000014